(57)【要約】【目的】静止の下げ飾りが、揺動又は上下動させることにより撥音を生ずるようにする。【解決手段】全体として離反可能に長さ方向へ密着して相対する二つの硬質材にて成り、長さ方向の片面をほぼ平滑面として、一端部に細紐１を通す小孔２を有して上端部とし、下端部に向けて重さを増す構成とし、主として平滑面の下端部寄りに凹部３を設け、その周囲に形成される環状部分を打撃面部４として一方体５とし、他方側も全体が上記とほぼ同形で、小孔２と凹部３と打撃面部４とを相対位置に有したものとして他方体６とし、一方体５と他方体６の両打撃面部４を向き合せて、細紐１で小孔２辺りを緩めに結びおき、これを吊るして全体を揺動又は上下動させて下端部が他物と当接し、両打撃面部４が離反して元に戻る時に、打撃面部４同士の衝突により撥音を発生するようにした撥音機能を有する下げ飾り。【選択図】図１
2011098177.tif 000002
【特許請求の範囲】
【請求項１】
全体として離反可能に長さ方向へ密着して相対する二つの硬質材にて成るもので、その一方の長さ方向の片面をほぼ平滑面として、その長さ方向の一端部に細紐（１）を通すための小孔（２）を有して上端部とし、その下端部に向けて重さを増すような構成とし、主として上記平滑面の下端部寄りに凹部（３）を設け、その周囲に形成される環状部分を打撃面部（４）として一方体（５）と成し、他方側も全体が上記とほぼ同形とし、同じ小孔（２）及び凹部（３）と打撃面部（４）とを相対位置に有したものとして他方体（６）と成し、上記一方体（５）と上記他方体（６）とが互いに上記両打撃面部（４）を向き合わせて、上記細紐（１）にて上記小孔（２）辺りのみを緩めに結んでおき、これを吊るして用いるものであり、全体を揺動若しくは上下動させることによって上記下端部が他物と当接などして、上記両打撃面部（４）が離反して元に戻るときに、上記両打撃面部（４）同士の衝突により撥音を発生するようにしたことを特徴とする撥音機能を有する下げ飾り。
【請求項２】
硬質材を、鋳造製とした請求項１記載の撥音機能を有する下げ飾り。
【請求項３】
硬質材を、合成樹脂製とした請求項１記載の撥音機能を有する下げ飾り。
【請求項４】
硬質材を、自然物を素材とした請求項１記載の撥音機能を有する下げ飾り。
【請求項５】
硬質材を、鬼胡桃の殻を縦割りして用いた請求項４記載の撥音機能を有する下げ飾り。
【請求項６】
下端部に向けて重さを増す構成手段として、一方体（５）及び他方体（６）を相対して密着させた外観形状において、全体として底部を半球状としたほぼ円錐形状とした請求項１乃至請求項３のいずれかに記載の撥音機能を有する下げ飾り。
【発明の詳細な説明】
【技術分野】
【０００１】  この発明は、個人用の装飾品として、着衣若しくは携帯物品に吊り下げ用いる下げ飾りに関するものであり、特に揺動若しくは上下動させることによって撥音を発生するようにしたことを特徴とする下げ飾りである。
【背景技術】
【０００２】  装飾品として着衣へ直接取り付けるものには、ペンダントやブローチと共に下げ飾りがある。更に、今日ではキーホルダーや携帯電話のストラップに様々な下げ飾りが取り付けられるようになった。この起源は江戸時代の根付だと言われていて、高価な象牙・鹿角・黄楊・水晶・勾玉・トルコ石などが用いられた。
しかし、現在の下げ飾りでは、その外観においては、安価でしかも目先の変わった様々な形状のものが用いられるようになり、時代に即した種々なキャラクターまでも採用されるようになった。【０００３】  更に、現在では、携帯電話用ストラップ・キーホルダー・ネックレスなどに用いられる吊り下げ飾りには、外観に特色を持つのみならず、吊り下げ飾りそれ自体の一部を発光させたり、発音したりするものが見受けられるようになった。そこで、外観の違い以外にどのようなものがあるかと、先願を調べてみると次のような諸件が見出された。【０００４】  例えば、２枚の軟質塩化ビニール樹脂シートを高周波ウェルダーにて接合して内部に気密状態で空気と、近傍の携帯電話機から放射される電波に感応してＬＥＤ等を点滅させる電波感応点滅装置とを封入した風船状の物体構造とした考案の名称「エァライディング・ストラップ」というものがある。（例えば、特許文献１参照。）。【０００５】  また、中空柔軟素材で形成した可動キャラクターを有する携帯電話等用ストラップで、内部に中空状のキャラクター部材があり、この内部に延出して上端にあるフック部を、フック引掛け部に引っ掛けて上下に移動可能な中心棒部材と、下端部に取付られたストラップ紐や、キャラクター台座に取付られた携帯電話接続用紐により構成した考案の名称「中空柔軟素材で形成した可動キャラクター部材を有する携帯電話用ストラップ」というものがある。（例えば、特許文献２参照。）。【０００６】  更に、自然物を利用した装飾品にて、かつ、小物入れを兼ねたものとしては、桃の胚種をその接合線に沿って２つに分割し、元の形になるようこの両者の凹部同士を向き合わせてヒンジにて枢着し、その凹部を小物収容室として形成させた考案の名称「マスコット」というものがある。（例えば、特許文献３参照。）。【０００７】  しかしながら、いずれも発音体は、下げ飾りに附属する鈴自体であったり、下げ飾りの一部に吊下げられた収容体の内部に、例えば小さな複数のサイコロが内在して互いに接触して音を発するようにしたりしたもののように、小物を内在させたものであって、この発明の目的をする下げ飾り自体が揺動若しくは上下動させることによって撥音を発生するようにしたものは、皆無であった。
【先行技術文献】
【特許文献】
【０００８】
【特許文献１】実登３０８５９９７号公報（［０００３］〜［０００４］、図１）
【特許文献２】実登３０７２４９８号公報（［０００６］〜［０００９］、図１）
【特許文献３】実開昭４９−１４１２９９号公報（１頁、図面）
【発明の概要】
【発明が解決しようとする課題】
【０００９】  上述の特許文献１は、従来は硬質の樹脂モールドカバーケースに収納されるため、通話中に電話機と触れて雑音を発生させたが、軟質の風船状の構造にすることにより、携帯電話機と触れても雑音を発生せず、また、雨水の浸入がなく、加えて形状、デザイン印刷の自由度が増したものであるとしているが、これは音を発生させるものではなく、ＬＥＤ等を点滅させる電波感応点滅装置を内在させるものである。【００１０】  特許文献２は、柔軟素材で形成した中空キャラクター部材を利用して、ストラップ紐の引っ張り動作に起因した様々な動作を実現したものであるが、これも音の発生が目的ではなく、構造が複雑でコストが高いものである。【００１１】  特許文献３は、装飾品というより考案の名称でも称しているようにマスコット、即ち守り神のような物で、小物を入れるための収容室を設けたものであるが、蝶番を用いているから桃の胚種の接合線に沿って完全に開閉するようには成している。したがって、開閉時に撥音も生ずるが、撥音発生を目的としていないために、開閉する接触面の一部に下げ紐の端部が留められているし、揺動や上下動では撥音を発生することはない。【００１２】  上記の３例は、いずれも撥音を生ずるための構成を有したものではないし、先願にはこの発明が目的とするものは全く見出せなかった。すなわち、この発明は、下げ飾りにおいて、通常は静止したままで吊下げられていても、揺動若しくは上下動させることによって撥音を発生するように構成するものである。
【課題を解決するための手段】
【００１３】  先ず、この発明の基本的な構成と共に、主要な作用を図面に基づき説明する。ただし、同一機能を有する部分には、形状は異なっても同一符号を用いた。【００１４】  各図に示すように、全体として離反可能に長さ方向へ密着して相対する二つの硬質材にて成るもので、その一方の長さ方向の片面をほぼ平滑面とし、その長さ方向の一端部に細紐１を通すための小孔２を有して上端部とする。そして、その下端部に向けては重さを増すような構成として、主として平滑面の下端部寄りに凹部３を設け、その凹部３の周囲に形成される環状部分を打撃面部４として一方体５とするのである。【００１５】  更に、他方側も全体が一方体５とほぼ同形とし、同じ小孔２及び凹部３と打撃面部４とを相対位置に有したものとして他方体６とする。また、前記したように他方体６と一方体５とは、相対する小孔２と、凹部３と打撃面部４のある平滑面側の長さ方向に渡っては、互いに密着できるようにする。
なお、図５において、凹部３を半球状として描いたが、これは便宜上であって、目視上円状ではなく、方形でも三角形でも多角形状でもよい。【００１６】  そして、一方体５と他方体６とが互いに両打撃面部４を向き合わせて、細紐１にて小孔２辺りのみを緩めに結んでおき、これを吊るして用いるものであり、全体を揺動若しくは上下動させることによって下端部が他物と当接などして、両打撃面部４が離反して元に戻るときに、両打撃面部４同士の衝突により撥音を発生するようにしたことを特徴とする撥音機能を有する下げ飾りとした。【００１７】  なお、硬質材としての材質を、鋳造製としたり、合成樹脂製としたり、更には、自然物を素材としてもよいのである。特に、自然物素材として硬い鬼胡桃を縦割りして中の仁を除去した殻を用いることもできる。【００１８】  また、下端部に向けて重さを増す構成手段として、図４及び図５に示すように、一方体５及び他方体６を相対して密着させた外観形状において、全体として底部を半球状としたほぼ円錐形状としたものとするもよい。その際、出来るだけ小孔２のある上端部辺りを細く軽くし、「涙型」と言われる形状にするもよく、更には、小孔２を通る細紐１は、各図に見るように２回小孔２を通し、１回は小さい輪に２回目は吊るし用に他物への結束用とするのであるが、要は緩めに結んで、一方体５と他方体６とが、互いに容易に揺れやすいようにすることが肝要である。【００１９】  ところで、「撥音」とは、三味線・琵琶・太鼓などを撥（バチ）で鳴らす音を言うのが本来だが、一般的に弾けるような音を含むので、この発明でこの語彙を採用した。【００２０】  前述した鋳造製は、釣鐘のように鉄・銅などや、その他の合金が考えられるが、当然重くなるから、重すぎて目的を果たせなくなるだろうし、合金組成や形状にて撥音の音色が異なるので、重量のことと共に、好みの音色を各種試作して求めればよい。【００２１】  合成樹脂製は硬質なものとして、フェノール樹脂・エポキシ樹脂・メラミン樹脂・尿素樹脂・不飽和ポリエステル樹脂・アルキド樹脂・ポリウレタンなどの熱硬化性樹脂の採用が好ましいが、汎用性の熱可塑性樹脂でも例えば、ブタジエン樹脂、アクリル樹脂、スチレン樹脂、ポリアミド樹脂、ポリカーボネイト樹脂、ポリエチレン樹脂、アセタール樹脂や、ポリプロピレン樹脂、又はこれらの樹脂の混合物などが使用可能である。いずれも鋳造製と同様に好みの音色を試作で求めることになる。【００２２】  自然物素材としては、先ず、外観が親しみ深いもので、硬いものである必要がある。となれば、一般によく目にする胡桃があるが、通称、菓子胡桃とか洋胡桃と称するものは、殻が比較的弱い。それに対し、鬼胡桃とか和胡桃と称するものは、殻が硬く、細かく砕いてスタッドレスタイヤに採用されている程である。
ところで、この鬼胡桃は、直径３ｃｍ程の仮果と呼ぶ実をつけるが、その中に核果があり、その内側の仁を食べるのである。一般人が目にするのは、この核果のものである。【００２３】  即ち、図１乃至図３に示すように、鬼胡桃を縦割りにその接合線に沿って２つに分割して、その中の仁を除去した殻を用いるのであるが、元の形になるようこの両者の仁を除去した凹部同士を向き合わせて用いるのであるから、前述した凹部３の周囲の打撃面部４のある縦割りの接合線は、自然物であるだけに必ずしも長さ方向に平滑面であるとは限らないし、同様に、２つに分割して一方体５と他方体６となった殻だから、その形状は全くの相似であるとは言えないのであり、また、そのことが個性を有していて面白いのである。
【発明の効果】
【００２４】  この発明の効果は、先願の発音手段とは異なって、外観そのものである下げ飾り自体が音を発するものであり、構成が簡単であって壊れるおそれもなく安価に提供できる。
しかも、下方が重くなる構成にしているので、常に垂直状の吊下げ状態になりやすく、かつ、上方端部の小孔２を通る細紐１が、緩めに結ばれているので、全体を揺動なり上下動させ、下端部が他物と当接などすることによって一方体５と他方体６とが、容易に離反し、また、衝突しやすくなるのである。【００２５】  加えて、離反して戻る際に、両打撃面部４同士の衝突は、真正面の衝突による撥音だけでなく、両打撃面部４同士が擦れ合うようにもなって、所謂、擦過音も生じるから、両音が交じり合って独特の撥音を生み出す効果を得られるようになったのである。【００２６】  また、凹部３の存在により、両打撃面部４同士の衝突時には、凹部３内部の空気の反響音も加わり、微妙な音色を得ることが出来たし、加えて、離反した一方体５と他方体６とが元に戻るときに、急激に凹部３近在の空気が圧縮されるから、その両打撃面部４同士の衝突速度の程度により、空気の圧縮速度が異なって撥音の音色が微妙に変化する効果を生ずるのである。勿論、採用する素材によって大きく音色が異なることは言うまでもない。【００２７】  更に、自然物である鬼胡桃の殻を採用すると、その殻の下部から中央へ向けて突出している柱状部７が下方の錘となっているし、その両打撃面部４である縦割り線は、互いに密着はするが直線ではないので、衝突の際に両凹部３近辺からの空気の脱出に僅かなずれを生ずることになって、独特の音色を得ることになり、その凹部３の複雑な自然形状による反響音や、両打撃面部４同士の擦過音と共に、真に涼しげな音色を生じるようになり、その外観と相俟って、真に癒される感覚を受ける下げ飾りとなった。
【図面の簡単な説明】
【００２８】
【図１】この発明の実施例にて、硬質材として鬼胡桃の殻を採用したものを、平面的に置いた状態で示した斜視図である。（実施例１）
【図２】図１の実施例を、吊下げた状態で示した正面図である。（実施例１）
【図３】図２において、一方体と他方体との両者間を、開いた状態で示した正面図である。（実施例１）
【図４】この発明の他の実施例にて、吊下げた状態で示した正面図である。（実施例２）
【図５】図４において、一方体と他方体との両者間を、開いた状態で示した正面図である。（実施例２）
【発明を実施するための形態】
【００２９】  この発明の最良の形態としては、その外観を含めて図１及び図２に示した自然物である鬼胡桃の殻を素材として用いたものと言えよう。すなわち、外観に全く同じと言うものはないから、個人所有物として独自性があるし、大きさも適切であり、その擦過音と共に衝突音は、涼しげな撥音となって、心を癒す効果があるからである。
【実施例１】
【００３０】  実施例１は、図１及び図２に示すように、鬼胡桃の殻を素材として用いたものである。具体的には、先ず、乾燥させた鬼胡桃を、ハンマーで打撃するなり、万力で圧力を加えるなりして接合線に沿い縦割りの２つに分割し、中の仁を除去して殻のみとし、それぞれの殻を一方体と他方体とする。【００３１】  次に、殻の一方体と他方体とを透明ラッカーなどで塗布乾燥して艶出しをしたものを、その柱状部７のない方を上方として小孔２をそれぞれ穿孔する。そして、プラスチック製の細紐１にて両小孔２を２回通して、図示のように緩めに縛って完成とする。【００３２】  なお、細紐１にプラスチック製を採用したのは、綿糸など繊維製に較べて適宜な硬さがあって弾性を有するからであり、その弾性により殻の一方体と他方体の自重に丁度よく合い、一方体と他方体との接触度が強くもなく弱くもない丁度よくなるので、両者の開閉度合いがよく、結果として好ましい擦過音と共に衝突音が得られるようになるからである。
【実施例２】
【００３３】  実施例２としては、合成樹脂製のものとして、硬さや衝撃強さ、低価格などから、アクリル系で、ブタジエン及びスチレン系の樹脂を混ぜ合わせたＡＢＳ樹脂を採用し、図４及び図５に示すような涙型の下げ飾りとした。勿論、大きさには限定はなく、下げ飾りとして適した長さや幅のものとしたが、金型の節約から一方体と他方体を同一のものとした。
言うまでもなく、凹部３の形状や大きさにより好みの撥音を選定すればよい。
なお、好ましくはより硬質なものとなり得る熱硬化性樹脂を採用した方がよいのであるが、加熱工程を必要としコストが割高となる欠点がある。
【実施例３】
【００３４】  実施例３は、鋳鉄製のものであるが、比重が重いので小さなものでも金属高音を発するが、金属の選定や異種金属との混合割合にて大きく撥音が異なるし、コストも高くなる傾向にある。勿論、合成樹脂製の場合と同様に、同大同型のものを量産すればよい。【００３５】  なお、鋳鉄製や合成樹脂製は、涙型のみしか図示しなかったが、その外観は如何様でもよく、その外観や多少の形状の違いによってこの発明が限定されるものではないことは言うまでもない。
以上詳記のように、比較的簡単な構成で安価に提供できて工業的に有益な発明である。
【符号の説明】
【００３６】  １  細紐
２  小孔
３  凹部
４  打撃面部
５  一方体
６  他方体
【図１】
2011098177.tif 000003
【図２】
2011098177.tif 000004
【図３】
2011098177.tif 000005
【図４】
2011098177.tif 000006
【図５】
2011098177.tif 000007